(57)【要約】【課題】              連続シートを送りベルトで連続的に支持しながら送り、その送り途中でこの連続シートを切断ロールの切断刃で単位シートに切断できるようにした切断送り方法および装置を提供する。【解決手段】        連続シートＳをシート送り中に単位シートＳ１に切断していく切断工程を、第１切断ロール１の第１切断刃１ａで不連続な第１次切断切れ目を入れる第１次切断工程Ａ１と、第２切断ロール２の第２切断刃２ａで前記第１次切断切れ目に沿う切り残し部を切断してシート全幅を切断しえる不連続な第２次切断切れ目を入れる第２次切断工程Ａ２との２工程で行い、前記第２次切断工程で最終切断される連続シートをこの第２次切断工程の前後送り範囲において前記第２切断刃と交差しないシート送り方向に掛架され平行に対設された送りベルト３ａ，３ｂ間で連続的に支持しながら送るようにした。【選択図】          図２
2006007335.tif 000002
【特許請求の範囲】
【請求項１】
原反ロールから供給された連続シートをシート送り中に該連続シートの送り方向と交差する切断線で所定寸法長さの単位シートに切断していく切断工程を、該連続シートのシート送り中に先ず第１切断ロールを通過させて該第１切断ロールの第１切断刃によって該連続シートの送り方向と交差する不連続な第１次切断切れ目を入れる第１次切断工程と、この第１次切断工程で第１次切断切れ目を入れられた連続シートをシート送り中に前記第１切断ロールよりシート送り先側に配設された第２切断ロールを通過させて該第２切断ロールの第２切断刃によって前記第１次切断切れ目に沿う切り残し部を切断してシート全幅を切断しえる不連続な第２次切断切れ目を入れる第２次切断工程と、からなる２工程で行い、且つ、前記第１次切断工程での前記切り残し部を切断する前記第２切断ロールの第２切断刃と交差しないシート送り方向に掛架した幅の狭い複数本の対設された送りベルトによって、前記第２次切断工程で最終切断される連続シート及び最終切断された単位シートを前記第２次切断工程の前後送り範囲において平行に対設された送りベルト間で連続的に挟んで支持しながらシート送り方向へ送るようにしたことを特徴とする連続シートから単位シートへの切断送り方法。
【請求項２】
連続シートの送り方向において、送り元側に第１切断ロールを、該第１切断ロールからシート送り方向に所定間隔おいた送り先側に第２切断ロールをそれぞれ配設し、原反ロールから供給された前記連続シートを、これらの第１切断ロール及び第２切断ロールを介して所定寸法長さの単位シートに切断していくものであり、前記第１切断ロールの外周に供給中の連続シートの送り方向と交差する不連続な第１次切断切れ目を入れる第１切断刃を設け、前記第２切断ロールの外周に供給中の連続シートの前記第１次切断切れ目に沿う切り残し部を切断してシート全幅を切断しえる不連続な第２次切断切れ目を入れる第２切断刃を設け、これら第１切断ロールの第１切断刃及び第２切断ロールの第２切断刃との協働によって供給中の連続シートを所定寸法長さの単位シートに切断していく切断手段と、前記第１次切断切れ目の前記切り残し部を切断する前記第２切断ロールの第２切断刃と交差しないシート送り方向に掛架され、前記第２切断ロールで最終切断される連続シート及び最終切断された単位シートをこの最終切断位置の前後送り範囲において平行に対設された送りベルト間で連続的に挟んで支持しながらシート送り方向へ送る幅の狭い複数本の対設された送りベルトから成る送り手段と、から構成したことを特徴とする連続シートから単位シートへの切断送り装置。
【請求項３】
原反ロールから供給された連続シートをシート送り中に該連続シートの送り方向と交差する切断線で所定寸法長さの単位シートに切断していく切断工程を、該連続シートのシート送り中に先ず第１切断ロールを通過させて該第１切断ロールの第１切断刃によって該連続シートの送り方向と交差する不連続な第１次切断切れ目を入れる第１次切断工程と、この第１次切断工程で第１次切断切れ目を入れられた連続シートをシート送り中に前記第１切断ロールよりシート送り先側に配設された第２切断ロールを通過させて該第２切断ロールの第２切断刃によって前記第１次切断切れ目に沿う切り残し部を切断してシート全幅を切断しえる不連続な第２次切断切れ目を入れる第２次切断工程と、からなる２工程で行い、且つ、前記第１切断ロールの第１切断刃と交差しないシート送り方向に掛架した幅の狭い複数本の対設された第１送りベルトによって、前記第１次切断工程で第１次切断切れ目を入れられる連続シートを前記第１次切断工程の前後送り範囲において平行に対設された送りベルト間で連続的に挟んで支持しながら次の前記第２次切断工程へ連続的に送るようにし、更に、前記第１次切断工程での前記切り残し部を切断する前記第２切断ロールの第２切断刃と交差しないシート送り方向に掛架し、前記第１送りベルトの送り出し部とこの受け入れ部とをシート送り方向において支持範囲が重複するように掛架した幅の狭い複数本の対設された第２送りベルトによって、前記第１送りベルトから送られた連続シートを連続的に支持すると共に前記第２次切断工程で最終切断される連続シート及び最終切断された単位シートを前記第２次切断工程の前後送り範囲において平行に対設された送りベルト間で連続的に挟んで支持しながらシート送り方向へ送るようにしたことを特徴とする連続シートから単位シートへの切断送り方法。
【請求項４】
連続シートの送り方向において、送り元側に第１切断ロールを、該第１切断ロールからシート送り方向に所定間隔おいた送り先側に第２切断ロールをそれぞれ配設し、原反ロールから供給された前記連続シートを、これらの第１切断ロール及び第２切断ロールを介して所定寸法長さの単位シートに切断していくものであり、前記第１切断ロールの外周に供給中の連続シートの送り方向と交差する不連続な第１次切断切れ目を入れる第１切断刃を設け、前記第２切断ロールの外周に供給中の連続シートの前記第１次切断切れ目に沿う切り残し部を切断してシート全幅を切断しえる不連続な第２次切断切れ目を入れる第２切断刃を設け、これら第１切断ロールの第１切断刃及び第２切断ロールの第２切断刃との協働によって供給中の連続シートを所定寸法長さの単位シートに切断していく切断手段と、前記第１切断ロールの第１切断刃と交差しないシート送り方向に掛架され、前記第１切断ロールで第１次切断切れ目を入れられる連続シートをこの切れ目入れ位置の前後送り範囲において平行に対設された送りベルト間で連続的に挟んで支持しながらシート送り方向へ連続的に送る幅の狭い複数本の対設された第１送りベルトと、前記第１次切断切れ目の前記切り残し部を切断する前記第２切断ロールの第２切断刃と交差しないシート送り方向に掛架され、且つ前記第１送りベルトの送り出し部とこの受け入れ部とをシート送り方向において支持範囲が重複するように掛架され、前記第１送りベルトから送られた連続シートを連続的に支持すると共に前記第２切断ロールで最終切断される連続シート及び最終切断された単位シートをこの最終切断位置の前後送り範囲において平行に対設された送りベルト間で連続的に挟んで支持しながらシート送り方向へ送る幅の狭い複数本の対設された第２送りベルトから成る送り手段と、から構成したことを特徴とする連続シートから単位シートへの切断送り装置。
【請求項５】
前記第１次切断切れ目又は前記第２次切断切れ目の切れ目端部を連続シートのシート長手方向において他方の切れ目端部に向けて交差する方向に延ばした交差切れ目部としたことを特徴とする請求項１又は３に記載の連続シートから単位シートへの切断送り方法。
【請求項６】
前記第１次切断切れ目又は前記第２次切断切れ目の切れ目端部を連続シートのシート長手方向において他方の切れ目端部に向けて交差する方向に延ばした交差切れ目部としたことを特徴とする請求項２又は４に記載の連続シートから単位シートへの切断送り装置。
【請求項７】
前記第１切断ロールの配設位置を前記第１送りベルトの送り範囲内においてシート送り方向に移動自在とし、前記第１切断ロールと前記第２切断ロールのシート送り方向の距離間隔を変更自在としたことを特徴とする請求項３に記載の連続シートから単位シートへの切断送り方法。
【請求項８】
前記第１切断ロールの配設位置を前記第１送りベルトの送り範囲内においてシート送り方向に移動自在とし、前記第１切断ロールと前記第２切断ロールのシート送り方向の距離間隔を変更自在としたことを特徴とする請求項４に記載の連続シートから単位シートへの切断送り装置。
【発明の詳細な説明】
【技術分野】
【０００１】
本発明は、紙などの連続シートを送りベルトで連続的に支持しながら送り、その送り途中でこの連続シートを単位シートに切断加工できるようにした連続シートから単位シートへの切断送り方法および装置に関する。
【背景技術】
【０００２】
紙加工業界などにおいて、原反ロールから供給された連続シートをシート送り中に切断ロールを通過させて該連続シートの送り方向と直交する切断線でシート単位に切断し、切断された矩形の単位シートを次工程側へ送るようにした連続シートの切断送りが広く実施されている。
【０００３】
係る連続シートの切断送り方法としては、例えば、図８にその概略構成を示した方法が知られている。この方法は、原反ロール（図示せず）から供給された紙製の連続シートＳを切断ロール１０を通過させて該連続シートの送り方向におけるシート単位ごとに切断し、切断された単位シートＳ１を該切断ロール１０にその受け入れ側を近づけて配設した上下送りベルト１１ａ，１１ｂで挟持して次工程側へ水平移送している。
【０００４】
しかし、図８に示した切断送り方法では、切断ロール１０から繰り出されるシートを該切断ロールにその受け入れ側を近づけて配設した上下送りベルト１１ａ，１１ｂで挟持して次工程側へ水平移送するようにしたが、この切断ロールから繰り出されるシートの先頭側が水平に繰り出されず下方へ垂れてしまい、前記上下送りベルトの受け入れ部へシートの先頭端部を正確且つ確実に送ることが困難であった。特に薄い柔らかな紙製シートでは係る弊害は顕著である。このようなことから、前記上下送りベルト１１ａ，１１ｂの受け入れ側を切断ロール１０側に可能な限り近づけて配設して前記した弊害の改善を図っているのが実情である。しかし、近づけ配置にも構造上限界があり、係る弊害を完全に解決することはできていない。このため、従来は図８に示したようなエアー装置１２を配設し、切断ロールから繰り出されるシートに向けて下方からエアーを噴いてシート先頭部の水平状態を維持するようなことも行われているが、特に薄い柔らかな紙製シートにおいては正確且つ確実に送ることは難しいものであった。
【発明の開示】
【発明が解決しようとする課題】
【０００５】
そこで、送りベルトで連続シートを連続的に支持しながら送り、その送り途中で切断ロールを通過させて連続シートを単位シートに切断する課題を提起されたが、従来の技術常識としては、連続シートを連続的に支持しながら送る送りベルトと連続シートを一度に切断する切断ロールの切断刃は、該切断刃を連続シートのシート幅より長く形成する必要があるため、互いに交差し衝突してしまい、切断ロールを通過する前後送り範囲においては送りベルトによって連続シートを連続的に支持しながら送ることは難しいものとされていた。
【０００６】
本発明は、このような実情に鑑み開発したものであり、紙などの連続シートを送りベルトで連続的に支持しながら送り、その送り途中でこの連続シートを切断ロールの切断刃で単位シートに切断できるようにした連続シートから単位シートへの切断送り方法および装置を提供することを目的とする。そして、本発明では特に、連続シートを切断ロールによって所定寸法長さの単位シートに切断する切断工程のシート送り方向の前後送り範囲において、送りベルトで連続シートを連続的に支持しながら水平方向へ送り、その送り途中で該連続シートを所定寸法長さの単位シートに切断するようにし、切断された単位シートをこの送りベルトから次工程側へ水平に正確且つ確実に送れるようにすることを目的とする。
【課題を解決するための手段】
【０００７】
上記した課題を解決するため、本発明の請求項１に記載した発明は、原反ロールから供給された連続シートをシート送り中に該連続シートの送り方向と交差する切断線で所定寸法長さの単位シートに切断していく切断工程を、該連続シートのシート送り中に先ず第１切断ロールを通過させて該第１切断ロールの第１切断刃によって該連続シートの送り方向と交差する不連続な第１次切断切れ目を入れる第１次切断工程と、この第１次切断工程で第１次切断切れ目を入れられた連続シートをシート送り中に前記第１切断ロールよりシート送り先側に配設された第２切断ロールを通過させて該第２切断ロールの第２切断刃によって前記第１次切断切れ目に沿う切り残し部を切断してシート全幅を切断しえる不連続な第２次切断切れ目を入れる第２次切断工程と、からなる２工程で行い、且つ、前記第１次切断工程での前記切り残し部を切断する前記第２切断ロールの第２切断刃と交差しないシート送り方向に掛架した幅の狭い複数本の対設された送りベルトによって、前記第２次切断工程で最終切断される連続シート及び最終切断された単位シートを前記第２次切断工程の前後送り範囲において平行に対設された送りベルト間で連続的に挟んで支持しながらシート送り方向へ送るようにしたことを特徴とする連続シートから単位シートへの切断送り方法を提供する。
【０００８】
同じく上記課題を解決するため、本発明の請求項２に記載した発明は、連続シートの送り方向において、送り元側に第１切断ロールを、該第１切断ロールからシート送り方向に所定間隔おいた送り先側に第２切断ロールをそれぞれ配設し、原反ロールから供給された前記連続シートを、これらの第１切断ロール及び第２切断ロールを介して所定寸法長さの単位シートに切断していくものであり、前記第１切断ロールの外周に供給中の連続シートの送り方向と交差する不連続な第１次切断切れ目を入れる第１切断刃を設け、前記第２切断ロールの外周に供給中の連続シートの前記第１次切断切れ目に沿う切り残し部を切断してシート全幅を切断しえる不連続な第２次切断切れ目を入れる第２切断刃を設け、これら第１切断ロールの第１切断刃及び第２切断ロールの第２切断刃との協働によって供給中の連続シートを所定寸法長さの単位シートに切断していく切断手段と、前記第１次切断切れ目の前記切り残し部を切断する前記第２切断ロールの第２切断刃と交差しないシート送り方向に掛架され、前記第２切断ロールで最終切断される連続シート及び最終切断された単位シートをこの最終切断位置の前後送り範囲において平行に対設された送りベルト間で連続的に挟んで支持しながらシート送り方向へ送る幅の狭い複数本の対設された送りベルトから成る送り手段と、から構成したことを特徴とする連続シートから単位シートへの切断送り装置を提供する。
【０００９】
解決課題のところで述べたように、連続シートを連続的に支持しながら送る送りベルトと連続シートを一度に切断する切断ロールの切断刃は、該切断刃を連続シートのシート幅より長く形成してあるため、互いに交差し衝突してしまい、切断ロールを通過する前後送り範囲においては送りベルトによって連続シートを連続的に支持しながら送ることができなかった。そこで、請求項１，２の発明では、切断工程を前記第１次切断工程と最終切断工程である第２次切断工程の２工程で行うようにし、さらに前記第２次切断工程における前記送りベルトを前記したように設けたことによって、この送りベルトで連続的に支持されながら水平に送られる連続シートは、この送り途中で第２切断ロールの第２切断刃で所定寸法長さの単位シートに切断され、且つ、シート単位に切断された単位シートはこの切断工程から次工程側へ水平に正確且つ確実に送られるようにした。この請求項１，２の発明は、連続シート及び切断された単位シートを水平状態で水平送りする場合に顕著な効果を発揮するものであるが、例えば連続シート及び切断された単位シートを垂直状態で上下方向に送ることを除外するものではない。この請求項１，２の発明における連続シートには、一枚の連続シートやシート送り方向に沿う折り目で折り畳まれた一枚の連続シートのほかに、重ね合わされた複数枚の連続シートや、折り畳まれた連続シートを複数枚重ね合わせた連続シートも含むものである。
【００１０】
また、同じく上記した課題を解決するため、本発明の請求項３に記載した発明は、原反ロールから供給された連続シートをシート送り中に該連続シートの送り方向と交差する切断線で所定寸法長さの単位シートに切断していく切断工程を、該連続シートのシート送り中に先ず第１切断ロールを通過させて該第１切断ロールの第１切断刃によって該連続シートの送り方向と交差する不連続な第１次切断切れ目を入れる第１次切断工程と、この第１次切断工程で第１次切断切れ目を入れられた連続シートをシート送り中に前記第１切断ロールよりシート送り先側に配設された第２切断ロールを通過させて該第２切断ロールの第２切断刃によって前記第１次切断切れ目に沿う切り残し部を切断してシート全幅を切断しえる不連続な第２次切断切れ目を入れる第２次切断工程と、からなる２工程で行い、且つ、前記第１切断ロールの第１切断刃と交差しないシート送り方向に掛架した幅の狭い複数本の対設された第１送りベルトによって、前記第１次切断工程で第１次切断切れ目を入れられる連続シートを前記第１次切断工程の前後送り範囲において平行に対設された送りベルト間で連続的に挟んで支持しながら次の前記第２次切断工程へ連続的に送るようにし、更に、前記第１次切断工程での前記切り残し部を切断する前記第２切断ロールの第２切断刃と交差しないシート送り方向に掛架し、前記第１送りベルトの送り出し部とこの受け入れ部とをシート送り方向において支持範囲が重複するように掛架した幅の狭い複数本の対設された第２送りベルトによって、前記第１送りベルトから送られた連続シートを連続的に支持すると共に前記第２次切断工程で最終切断される連続シート及び最終切断された単位シートを前記第２次切断工程の前後送り範囲において平行に対設された送りベルト間で連続的に挟んで支持しながらシート送り方向へ送るようにしたことを特徴とする連続シートから単位シートへの切断送り方法を提供する。
【００１１】
また、同じく上記課題を解決するため、本発明の請求項４に記載した発明は、連続シートの送り方向において、送り元側に第１切断ロールを、該第１切断ロールからシート送り方向に所定間隔おいた送り先側に第２切断ロールをそれぞれ配設し、原反ロールから供給された前記連続シートを、これらの第１切断ロール及び第２切断ロールを介して所定寸法長さの単位シートに切断していくものであり、前記第１切断ロールの外周に供給中の連続シートの送り方向と交差する不連続な第１次切断切れ目を入れる第１切断刃を設け、前記第２切断ロールの外周に供給中の連続シートの前記第１次切断切れ目に沿う切り残し部を切断してシート全幅を切断しえる不連続な第２次切断切れ目を入れる第２切断刃を設け、これら第１切断ロールの第１切断刃及び第２切断ロールの第２切断刃との協働によって供給中の連続シートを所定寸法長さの単位シートに切断していく切断手段と、前記第１切断ロールの第１切断刃と交差しないシート送り方向に掛架され、前記第１切断ロールで第１次切断切れ目を入れられる連続シートをこの切れ目入れ位置の前後送り範囲において平行に対設された送りベルト間で連続的に挟んで支持しながらシート送り方向へ連続的に送る幅の狭い複数本の対設された第１送りベルトと、前記第１次切断切れ目の前記切り残し部を切断する前記第２切断ロールの第２切断刃と交差しないシート送り方向に掛架され、且つ前記第１送りベルトの送り出し部とこの受け入れ部とをシート送り方向において支持範囲が重複するように掛架され、前記第１送りベルトから送られた連続シートを連続的に支持すると共に前記第２切断ロールで最終切断される連続シート及び最終切断された単位シートをこの最終切断位置の前後送り範囲において平行に対設された送りベルト間で連続的に挟んで支持しながらシート送り方向へ送る幅の狭い複数本の対設された第２送りベルトから成る送り手段と、から構成したことを特徴とする連続シートから単位シートへの切断送り装置を提供する。
【００１２】
前述したように、連続シートを連続的に支持しながら送る送りベルトと連続シートを一度に切断する切断ロールの切断刃は、該切断刃を連続シートのシート幅より長く形成してあるため、互いに交差し衝突してしまい、切断ロールを通過する前後送り範囲においては送りベルトによって連続シートを連続的に支持しながら送ることができなかった。そこで、請求項３，４の発明においても請求項１，２と同様に、切断工程を前記第１次切断工程と最終切断工程である第２次切断工程の２工程で行うようにした。そして、請求項３，４の発明においては、前記第１次切断工程の前後送り範囲に前記第１送りベルトを、前記第２次切断工程の前後送り範囲に前記第２送りベルトを前記したように設けたことによって、これらの第１及び第２送りベルトで連続的に支持されながら水平に送られる連続シートは、前記第１送りベルトによる送り途中で第１切断ロールの第１切断刃で第１次切断切れ目が入れられ、さらに前記第２送りベルトによる送り途中で第２切断ロールの第２切断刃で第２次切断切れ目が入れられて所定寸法長さの単位シートに切断され、且つ、シート単位に切断された単位シートはこの第２次切断工程から次工程側へ水平に正確且つ確実に送られるようにした。この請求項３，４の発明も請求項１，２の発明と同様に、連続シート及び切断された単位シートを水平状態で水平送りする場合に顕著な効果を発揮するものであるが、例えば連続シート及び切断された単位シートを垂直状態で上下方向に送ることを除外するものではない。この請求項３，４の発明における連続シートには、一枚の連続シートやシート送り方向に沿う折り目で折り畳まれた一枚の連続シートのほかに、重ね合わされた複数枚の連続シートや、折り畳まれた連続シートを複数枚重ね合わせた連続シートも含むものである。
【００１３】
また、本発明の請求項５の発明は請求項１，３の切断送り方法の発明に、本発明の請求項６の発明は請求項２，４の切断送り装置の発明にそれぞれ限定を加えたものであり、前記第１次切断切れ目又は前記第２次切断切れ目の切れ目端部を連続シートのシート長手方向において他方の切れ目端部に向けて交差する方向に延ばした交差切れ目部としたことを特徴としている。これによって、前記第１次切断切れ目と前記第２次切断切れ目の切断一致箇所が連続シートの送り方向において少しの誤差があっても第１次及び第２次切断切れ目の各切れ目端部が互いに交差し誤差を吸収できるようにした。
【００１４】
また、本発明の請求項７の発明は請求項３の切断送り方法の発明を、本発明の請求項８の発明は請求項４の切断送り装置の発明をそれぞれ改良したものであり、前記第１切断ロールの配設位置を前記第１送りベルトの送り範囲内においてシート送り方向に移動自在とし、前記第１切断ロールと前記第２切断ロールのシート送り方向の距離間隔を変更自在としたことを特徴としている。前記第１及び第２送りベルトによる連続シートの送り速度を一定にした場合、前記第１切断ロールと前記第２切断ロールのシート送り方向の配置間隔を狭く設定するに従い、切断される単位シートのシート寸法長さは短くなり、逆に両切断ロール間の配置間隔を広く設定するに従い、切断される単位シートのシート寸法長さは長くなる。これにより、切断される単位シートの送り方向のシート寸法長さ（製品寸法長さ）の変更が容易である。
【発明の効果】
【００１５】
本発明によれば、紙などの連続シートを送りベルトで連続的に支持しながら送り、その送り途中でこの連続シートを切断ロールの切断刃で単位シートに切断できる。そして、本発明では特に、連続シートを切断ロールによって所定寸法長さの単位シートに切断する切断工程のシート送り方向の前後送り範囲において、送りベルトで連続シートを連続的に支持しながら水平方向へ送り、その送り途中で該連続シートを所定寸法長さの単位シートに切断するようにし、切断された単位シートをこの送りベルトから次工程側へ水平に正確且つ確実に送ることができる。よって、薄い柔らかな紙製連続シートから切断加工される紙製品であっても、切断工程で最終切断される連続シート及び最終切断された単位シートを次工程側へ水平状態を維持した態様で正確且つ確実に水平送りすることができる。
【発明を実施するための最良の形態】
【００１６】
以下、本発明の連続シートから単位シートへの切断送り方法および装置について図面を参照して説明する。図１は本発明の実施形態を示す概略側面図、図２は同じく本発明の実施形態を示す概略平面図、図３は本発明における連続シートの切断過程を示す概略平面図、図４は本発明の他の実施形態を示す概略側面図、図５は同じく本発明の他の実施形態を示す概略平面図、図６は本発明における連続シートの切断過程を示す概略平面図、図７は切断工程における切断切れ目の他例を示す概略平面図である。
【００１７】
先ず、図１乃至図３に示した本発明の実施形態を説明する。
【００１８】
連続シートＳの送り方向において、送り元側に第１切断ロール１を、該第１切断ロール１からシート送り方向に所定間隔おいた送り先側に第２切断ロール２をそれぞれ水平に配設し、図の右方向に配置された図示しない原反ロールから左方向に供給された前記連続シートＳを、これらの第１切断ロール１及び第２切断ロール２を介して所定寸法長さの単位シートＳ１に切断していくものであり、前記第１切断ロール１の外周に供給中の連続シートＳの送り方向と交差（直交）する不連続な第１カットラインからなる第１次切断切れ目Ｃ１を入れる第１切断刃１ａを設け、前記第２切断ロール２の外周に供給中の連続シートＳの前記第１次切断切れ目Ｃ１に沿う切り残し部Ｍ１を切断してシート全幅を切断しえる不連続な第２カットラインからなる第２次切断切れ目Ｃ２（図３に示した第２次切断切れ目Ｃ２は前記第１次切断切れ目Ｃ１との識別を容易にするため便宜的に太い線で描いてある。）を入れる第２切断刃２ａを設け、これら第１切断ロール１の第１切断刃１ａ及び第２切断ロール２の第２切断刃２ａとの協働によって供給中の連続シートＳを所定寸法長さの単位シートＳ１に切断していく切断手段を有している。
【００１９】
前記第１切断ロール１は、互いに矢印方向に逆回転される第１切断刃１ａを設けた第１刃ロール１Ａと第１受け刃１ｂを設けた第１受けロール１Ｂとから成り、互いに逆回転されるこの第１刃ロール１Ａと第１受けロール１Ｂの間を前記連続シートＳが通過される過程で、各ロール１Ａ，１Ｂの第１切断刃１ａと第１受け刃１ｂとが交合され第１次切断切れ目Ｃ１が入れていく。また同様に、前記第２切断ロール２は、互いに矢印方向に逆回転される第２切断刃２ａを設けた第２刃ロール２Ａと第２受け刃（図示せず）を設けた第２受けロール２Ｂとから成り、互いに逆回転されるこの第２刃ロール２Ａと第２受けロール２Ｂの間を前記連続シートＳが通過される過程で、各ロール２Ａ，２Ｂの第２切断刃２ａと第２受け刃（図示せず）とが交合され第２次切断切れ目Ｃ２が入れられ、前記第１次切断切れ目Ｃ１とこの第２次切断切れ目Ｃ２によって連続シートＳのシート全幅を切断していく。前記第１切断ロール１と前記第２切断ロール２は同じロール径で同じ周速度で回転され、これら第１及び第２切断ロール１，２の周速とこれら第１及び第２切断ロール１，２を通過する連続シートＳの送り速度は同じ速度にされている。
【００２０】
図の右方向に配置された図示しない原反ロールから左方向に供給された紙製の連続シートＳは、先ず、第１次切断工程Ａ１における前記第１切断ロール１を通過し、この通過中に該連続シートＳに対して、前記第１切断ロール１の第１切断刃１ａによって該連続シートＳの送り方向と交差（直交）する不連続な第１カットラインからなる第１次切断切れ目Ｃ１が入れられる。この第１次切断工程Ａ１で第１次切断切れ目Ｃ１を入れられた連続シートＳは、最終切断工程となる次の第２次切断工程Ａ２における前記第２切断ロール２を通過し、この通過中に前記第２切断ロール２の第２切断刃２ａによって前記第１カットラインに沿う切り残し部Ｍ１を切断してシート全幅を切断しえる不連続な第２カットラインからなる第２次切断切れ目Ｃ２を入れられ、この第２次切断工程Ａ２で所定寸法長さの単位シートＳ１に切断線Ｃに沿って切断される。
【００２１】
最終切断工程である前記第２次切断工程Ａ２で最終切断される連続シートＳ及び最終切断された単位シートＳ１は、この最終切断位置の前後送り範囲において、前記第１次切断工程Ａ１で切り残された前記切り残し部Ｍ１を切断する前記第２切断ロール２の第２切断刃２ａと交差しないシート送り方向に各プーリによって掛架された幅の狭い複数本の上下に水平に対設された送りベルト（上下送りベルト）３ａ，３ｂ（この送りベルトとしては断面丸形状のものを採用した。）によって、上下から連続的に挟まれ水平状態に支持されながら次工程側へ水平に送られる。この送りベルト（上下送りベルト）３ａ，３ｂの送り速度と前記第２切断ロール２の回転周速度は同速に設定してある。
【００２２】
前記したように単位シートＳ１への切断工程を第１次切断工程Ａ１と最終切断工程である第２次切断工程Ａ２との２工程で行うようにし、この第２次切断工程Ａ２における前記第２切断ロール２の第２切断刃２ａと交差しないシート送り方向に掛架した前記送りベルト（上下送りベルト）３ａ，３ｂで支持されたシート部にはすでに前記第１次切断工程Ａ１で第１次切断切れ目Ｃ１が入れられている関係にある。このように、切断工程を第１次切断工程Ａ１と最終切断工程である第２次切断工程Ａ２の２工程で行い、さらに前記第２次切断工程Ａ２における前記送りベルト（上下送りベルト）３ａ，３ｂを上記したように設けたことによって、この送りベルト（上下送りベルト）３ａ，３ｂで連続的に支持されながら水平に送られる連続シートＳは、この送り途中で第２切断ロール２の第２切断刃２ａで所定寸法長さの単位シートＳ１に切断され、次工程側へ水平に送られる。これにより、連続シートを連続的に支持しながら送る送りベルトと、この送りベルトによって送られる連続シートを一度に切断する切断ロールの切断刃（この切断刃は連続シートのシート幅より長く形成される。）が交差し衝突してしまい所期の目的を達成できない従来の弊害を解消できるようにした。
【００２３】
前記第２次切断工程Ａ２の前記送りベルト（上下送りベルト）３ａ，３ｂから水平状態で水平に送られてきた最終切断された単位シートＳ１は、この送りベルト（上下送りベルト）３ａ，３ｂの送り先側に配されシート送り方向における前後範囲が重複するように掛架され且つ前記送りベルト３ａ，３ｂより送り速度を速くした次位送りベルト４ａ，４ｂによって、上下から連続的に挟んで水平状態に支持しながら次に送られてくる単位シートＳ１との送り距離間隔を所定間隔離した状態で次工程（例えばシート堆積工程）へ水平に送られる。このシート堆積工程（図示せず）では、所定間隔離して送られてきた単位シートＳ１を、前記次位送りベルト４ａ，４ｂによって水平状態に支持（このシート堆積工程における前記次位送りベルトによる単位シートＳ１の支持状態は、単位シートＳ１の送り方向における両側端側が挟持され支持されるようにしてある。）された水平移送中に下方向排出動作を繰り返す排出装置で一単位シートずつ下方に順次排出していき、シート形態を上下に整合させつつ上下に積み重ねた平積み状態の堆積シートとする。このように、前記送りベルト（上下送りベルト）３ａ，３ｂより送り速度を速くした前記次位送りベルト４ａ，４ｂによって単位シートの送り距離間隔を所定間隔離して次工程のシート堆積工程へ水平に送るようにしたため、このシート堆積工程へ送られてきた単位シートを、一シートずつ下方に順次排出していく排出装置の排出動作にタイミング良く合わせることが容易である。
【００２４】
次に、図４乃至図６に示した本発明の他の実施形態を説明する。
【００２５】
連続シートＳの送り方向において、送り元側に第１切断ロール１を、該第１切断ロール１からシート送り方向に所定間隔おいた送り先側に第２切断ロール２をそれぞれ水平に配設し、図の右方向に配置された図示しない原反ロールから左方向に供給された前記連続シートＳを、これらの第１切断ロール１及び第２切断ロール２を介して所定寸法長さの単位シートＳ１に切断していくものであり、前記第１切断ロール１の外周に供給中の連続シートＳの送り方向と交差（直交）する不連続な第１カットラインからなる第１次切断切れ目Ｃ１を入れる第１切断刃１ａを設け、前記第２切断ロール２の外周に供給中の連続シートＳの前記第１次切断切れ目Ｃ１に沿う切り残し部Ｍ１を切断してシート全幅を切断しえる不連続な第２カットラインからなる第２次切断切れ目Ｃ２（図６に示した第２次切断切れ目Ｃ２は前記第１次切断切れ目Ｃ１との識別を容易にするため便宜的に太い線で描いてある。）を入れる第２切断刃２ａを設け、これら第１切断ロール１の第１切断刃１ａ及び第２切断ロール２の第２切断刃２ａとの協働によって供給中の連続シートＳを所定寸法長さの単位シートＳ１に切断していく切断手段を有している。
【００２６】
前記第１切断ロール１は、互いに矢印方向に逆回転される第１切断刃１ａを設けた第１刃ロール１Ａと第１受け刃１ｂを設けた第１受けロール１Ｂとから成り、互いに逆回転されるこの第１刃ロール１Ａと第１受けロール１Ｂの間を前記連続シートＳが通過される過程で、各ロール１Ａ，１Ｂの第１切断刃１ａと第１受け刃１ｂとが交合され第１次切断切れ目Ｃ１が入れていく。また同様に、前記第２切断ロール２は、互いに矢印方向に逆回転される第２切断刃２ａを設けた第２刃ロール２Ａと第２受け刃２ｂを設けた第２受けロール２Ｂとから成り、互いに逆回転されるこの第２刃ロール２Ａと第２受けロール２Ｂの間を前記連続シートＳが通過される過程で、各ロール２Ａ，２Ｂの第２切断刃２ａと第２受け刃２ｂとが交合され第２次切断切れ目Ｃ２が入れられ、前記第１次切断切れ目Ｃ１とこの第２次切断切れ目Ｃ２によって連続シートＳのシート全幅を切断していく。前記第１切断ロール１と前記第２切断ロール２は同じロール径で同じ周速度で回転される。
【００２７】
連続シートＳの送り方向において、送り元側から送り先側に順に第１送りベルト（第１上下送りベルト）５ａ，５ｂ、第２送りベルト（第２上下送りベルト）６ａ，６ｂを水平に配設し、図の右方向に配置された図示しない原反ロールから左方向に供給された前記連続シートＳは、これらの第１送りベルト５ａ，５ｂ及び第２送りベルト６ａ，６ｂによって連続的に水平状態に支持されながら次工程側へ水平に送られる。
【００２８】
前記第１送りベルト（第１上下送りベルト）５ａ，５ｂは、前記第１切断ロール１の第１切断刃１ａと交差しないシート送り方向に各プーリによって掛架された幅の狭い複数本の送りベルト（この送りベルトとしては断面丸形状のものを採用した。）からなり、前記第１切断ロール１で第１次切断切れ目Ｃ１を入れられる連続シートＳをこの切れ目入れ位置の前後送り範囲において上下に平行に対設された水平な送りベルト間で連続的に挟んで支持しながらシート送り方向へ水平に送れるようにしている。また、前記第２送りベルト（第２上下送りベルト）６ａ，６ｂは、前記第１次切断切れ目Ｃ１の前記切り残し部Ｍ１を切断する前記第２切断ロール２の第２切断刃２ａと交差しないシート送り方向に各プーリによって掛架され、且つ前記第１送りベルト５ａ，５ｂの送り出し部とこの受け入れ部とをシート送り方向において支持範囲が重複するように掛架された幅の狭い複数本の送りベルト（この送りベルトも前記第１送りベルトと同様な断面丸形状のものを採用している。）からなり、前記第１送りベルト５ａ，５ｂから送られた連続シートＳを連続的に支持すると共に前記第２切断ロール２で最終切断される連続シートＳ及び最終切断された単位シートＳ１をこの最終切断位置の前後送り範囲において上下に平行に対設された水平な送りベルト間で連続的に挟んで支持しながら次工程側へ水平に送れるようにしている。これら第１送りベルト５ａ，５ｂと第２送りベルト６ａ，６ｂの送り速度は同じにしてあり、図４乃至６に示した実施例の実施形態においては、これら第１送りベルト５ａ，５ｂ及び第２送りベルト６ａ，６ｂの送り速度すなわちシート送り速度と、前記第１切断ロール１及び前記第２切断ロール２の回転周速度は同じ速度に設定してある。なお、この実施形態においては、第１及び第２送りベルトの送り速度すなわちシート送り速度と第１及び第２切断ロールの回転周速度とを常に同速に設定する必要はなく変更することも可能である。
【００２９】
図の右方向に配置された図示しない原反ロールから左方向に供給された連続シートＳは、先ず、前記第１送りベルト（第１上下送りベルト）５ａ，５ｂで連続的に挟んで支持されながらシート送り方向へ水平に送られ、この送り途中で第１次切断工程Ａ１における前記第１切断ロール１を通過し、この通過中に該連続シートＳに対して、前記第１切断ロール１の第１切断刃１ａによって該連続シートＳの送り方向と交差（直交）する不連続な第１カットラインからなる第１次切断切れ目Ｃ１が入れられる。次に、この第１次切断工程Ａ１で第１次切断切れ目Ｃ１を入れられた連続シートＳは、前記第１送りベルト（第１上下送りベルト）５ａ，５ｂから前記第２送りベルト（第２上下送りベルト）６ａ，６ｂへ連続的に支持されながら送られ、前記第２送りベルト（第２上下送りベルト）６ａ，６ｂで支持された送り途中で第２次切断工程Ａ２における前記第２切断ロール２を通過し、この通過中に前記第２切断ロール２の第２切断刃２ａによって前記第１カットラインに沿う切り残し部Ｍ１を切断してシート全幅を切断しえる不連続な第２カットラインからなる第２次切断切れ目Ｃ２を入れられ、この第２次切断工程Ａ２で所定寸法長さの単位シートＳ１に切断線Ｃに沿って切断される。最終切断工程である前記第２次切断工程Ａ２で切断された単位シートＳ１は、前記第２送りベルト（第２上下送りベルト）６ａ，６ｂで連続的に支持されながら次工程側へ水平に送られる。
【００３０】
前記したように連続シートＳから単位シートＳ１への切断工程を第１次切断工程Ａ１と最終切断工程である第２次切断工程Ａ２との２工程で行うようにし、さらに、前記第１次切断工程Ａ１の前後送り範囲に前記第１送りベルト５ａ，５ｂを、前記第２次切断工程Ａ２の前後送り範囲に前記第２送りベルト６ａ，６ｂを前記したように設けたことによって、これらの第１及び第２送りベルトで連続的に支持されながら水平に送られる連続シートＳは、前記第１送りベルト５ａ，５ｂによる送り途中で第１切断ロール１の第１切断刃１ａで第１次切断切れ目Ｃ１が入れられ、さらに前記第２送りベルト６ａ，６ｂによる送り途中で第２切断ロール２の第２切断刃２ａで第２次切断切れ目Ｃ２が入れられて所定寸法長さの単位シートＳ１に切断され、且つ、シート単位に切断された単位シートＳ１はこの第２次切断工程Ａ２から次工程側へ水平に正確且つ確実に送られる。これにより、連続シートを連続的に支持しながら送る送りベルトと、この送りベルトによって送られる連続シートを一度に切断する切断ロールの切断刃（この切断刃は連続シートのシート幅より長く形成される。）が交差し衝突してしまい所期の目的を達成できない従来の弊害を解消できるようにした。
【００３１】
図４及び図５に示した前記第１切断ロール１の配設位置を前記第１送りベルト５ａ，５ｂの送り範囲内においてシート送り方向に移動し、前記第１切断ロール１と前記第２切断ロール２のシート送り方向の距離間隔を変更することによって、切断される単位シートＳ１の送り方向のシート寸法長さ（製品寸法長さ）の変更を容易にできるようにした。前記第１及び第２送りベルトによる連続シートの送り速度を一定にした場合、前記第１切断ロール１と前記第２切断ロール２のシート送り方向の配置間隔を狭く設定するに従い、切断される単位シートＳ１のシート寸法長さは短くなり、逆に両切断ロール１，２間の配置間隔を広く設定するに従い、切断される単位シートＳ１のシート寸法長さは長くなる。
【００３２】
図３及び図６に示したように、両実施形態とも、前記切り残し部Ｍ１を間にした前記第１次切断切れ目Ｃ１の不連続な各第１カットラインの各端部と前記切り残し部Ｍ１を切断するべく対応させた前記第２次切断切れ目Ｃ２の不連続な各第２カットラインの両端部とは、シート幅方向において互いに重複する関係とした。また、前記第１次切断切れ目Ｃ１と前記第２次切断切れ目Ｃ２の関係は、前記第１次切断切れ目Ｃ１又は前記第２次切断切れ目Ｃ２の切れ目端部を連続シートのシート長手方向において他方の切れ目端部に向け交差する方向に延ばした交差切れ目部ＣＸを形成しても良い。切断切れ目の他例を示した図７においては、前記第２次切断切れ目Ｃ２の切れ目端部を前記交差切れ目部ＣＸとし、この交差切れ目部ＣＸを連続シートＳのシート長手方向において前記第１次切断切れ目Ｃ１の切れ目端部に向け交差する方向に延ばしている。これによって、前記第１次切断切れ目Ｃ１と前記第２次切断切れ目Ｃ２の切断一致箇所が連続シートＳの送り方向において少しの誤差があっても切れ目端部が互いに交差し誤差を吸収できるようにした。
【００３３】
なお、この発明の実施形態に示した図面では、連続シートとして、折り加工を施してない一枚の連続シートを代表例として示した。しかし、当然のことながら、本発明で適用される連続シートは図示したものに限定されるものではなく、例えば、重ね合わされた複数枚の連続シート、シート送り方向に沿う折り目で折り畳まれた折り畳み連続シート、この折り畳み連続シートを重ね合わせた複数枚の連続シート、など、いろいろな連続シートの切断送りに実施できる。
【産業上の利用可能性】
【００３４】
本発明の連続シートから単位シートへの切断送り方法および装置は、予め折り畳み加工を施して無い連続シートはもとより予めシート送り方向に沿って連続的に折り畳まれた折り畳み連続シートにも適用可能であり、そのほか、重ね合わされた複数枚の連続シートや折り畳み連続シートを複数枚重ね合わせた連続シートにも適用可能である。また、応用できる製品としては、便座シート、座席の背もたれへ装着される背もたれカバー、ハンカチなど、連続シートを製品単位としてのシート単位に切断する切断工程を必要とする種々な紙製品やこれに類似したシート素材の製品の加工に広く利用できる。
【図面の簡単な説明】
【００３５】
【図１】本発明の実施形態を示す概略側面図である。
【図２】本発明の実施形態を示す概略平面図である。
【図３】本発明における連続シートの切断過程を示す概略平面図である。
【図４】本発明の他の実施形態を示す概略側面図である。
【図５】本発明の他の実施形態を示す概略平面図である。
【図６】本発明における連続シートの切断過程を示す概略平面図である。
【図７】切断工程における切断切れ目の他例を示す概略平面図である。
【図８】従来の実施形態を示した概略側面図である。
【符号の説明】
【００３６】
Ｓ  連続シート
Ｓ１  単位シート
Ａ１  第１次切断工程
Ａ２  第２次切断工程（最終切断工程）
１  第１切断ロール
１ａ  第１切断刃
Ｃ１  第１次切断切れ目
Ｍ１  第１次切断切れ目の切り残し部
２  第２切断ロール
２ａ  第２切断刃
Ｃ２  第２次切断切れ目
３ａ，３ｂ  送りベルト（上下送りベルト）
４ａ，４ｂ  次位送りベルト
５ａ，５ｂ  第１送りベルト（第１上下送りベルト）
６ａ，６ｂ  第２送りベルト（第２上下送りベルト）
ＣＸ  交差切れ目部
【図１】
2006007335.tif 000003
【図２】
2006007335.tif 000004
【図３】
2006007335.tif 000005
【図４】
2006007335.tif 000006
【図５】
2006007335.tif 000007
【図６】
2006007335.tif 000008
【図７】
2006007335.tif 000009
【図８】
2006007335.tif 000010